(57)【要約】【課題】軸部とプレート部と軸受け部と空隙を備えた単体のリンクをつなぎ合わせるチェンにおいて、リンク同士が外れることを防止すること。【解決手段】軸部とプレート部と軸受け部と空隙を有する単体のリンクをつなぎ合わせることによって一条のチェンが構成されるチェンにおいて、軸受け部にピン挿入孔を設け、ピン挿入孔にピンを挿入することにより、リンクの屈曲を規制し、リンク同士が外れることをなくした。【選択図】図２
2014190439.tif 000002
【特許請求の範囲】
【請求項１】
軸部とプレート部と軸受け部と空隙を有する単体のリンクをつなぎ合わせることによって一条のチェンが構成されるチェンにおいて、
前記軸受け部にピン挿入孔を設け、前記ピン挿入孔にピンを挿入することを特徴とするチェン。
【請求項２】
軸部とプレート部と軸受け部と空隙を有する単体のリンクをつなぎ合わせることによって一条のチェンが構成されるチェンにおいて、
前記軸受け部に折り曲げ部を設け、前記リンクを連結した後に前記折り曲げ部を折り曲げたことを特徴とするチェン。
【発明の詳細な説明】
【技術分野】
【０００１】
本発明は、例えば、牧草の運搬等に使用されるチェンに関するものである。
【背景技術】
【０００２】
従来のチェンには、図６から図９に示すようなものがあった。
【０００３】
この従来のチェンは、単体のリンクを相当数互いに連結することにより、一条のチェンを構成するものであった。
【０００４】
単体のリンク５０は、図６に示すように、主に、軸部５２とプレート部５４と軸受け部５６を有し、軸部５２とプレート部５４と軸受け部５６で囲まれた部位は、空隙５８となっている。
【０００５】
軸部５２は略円柱状の、リンク同士を連結した際にピンの役割を果たす部位であり、プレート部５４と一体になっている。プレート部５４は図６（ａ）中上下一対のプレートが連結した形状（図６中の網掛けしている部分）になっており、リンク５０同士を連結した際にプレートの役割を果たす部位である。軸受け部５６はプレート部と一体になった円筒の略４分の３ほどの形状の部位であり、リンク５０同士を連結した際にブシュの役割を果たす部位である。
【０００６】
そして、軸部５２とプレート部５４に囲まれる箇所には、空隙５８が設けられる。この空隙５８は、リンク５０同士を連結する際に一方のリンク５０の軸部５２に他方のリンク５０の軸受け部５６をかみ合わせるために設けられるものである。
【０００７】
リンク５０同士の連結は、例えば、図７（ｂ）に示すように、一方のリンク５０の軸受け部５６の隙間を、他方のリンク５０のプレート部５４が通過し、他方のリンク５０の軸部５２と一方のリンク５０の軸受け部５６が係合するような角度の位置関係に配置してから、図７（ａ）中矢印Ａ方向にスライドさせ、両リンク５０のプレート部５４の辺部同士が重なる位置関係になるまで移動させてから、両リンク５０の表面が同一平面になる側（図７（ｂ）中矢印Ｂ方向）に倒すことによって連結する。リンク同士の係合は、矢印Ａ方向の逆方向からでも可能である。
なお、各リンクのプレート部５４の表面５４ａが同じ側にくるように各リンク５０は係合、連結される。
【０００８】
このようにリンク５０同士を連結すると、図８のように連結されることとなる。
【０００９】
そして、連結作業を繰り返すことにより、相当数のリンク５０を連結させ、一条のチェンを形成することができる。
【００１０】
上記のチェンは図９のように、スプロケット９０にチェン８０を構成するリンク５０のプレート部５４の表面５４ａが外側にくるように噛ませることにより使用するものである。
【発明の概要】
【発明が解決しようとする課題】
【００１１】
以上のような従来のチェンは、スプロケットに取り付け、普通に走行する分にはたいてい外れることはないが、スプロケットの上側と上側を走行する部分（図９のＰの部分）等では、チェンがリンクのプレート部の裏面側にたるむため、わずかながらとはいえ、リンク同士が外れる可能性がありうる。
【００１２】
そこで、本発明は、リンク同士が外れる可能性のより少ない、又は、外れる可能性がないチェンを提供することを課題とするものである。
【課題を解決するための手段】
【００１３】
上記課題を解決するために、本発明は、
軸部とプレート部と軸受け部と空隙を有する単体のリンクをつなぎ合わせることによって一条のチェンが構成されるチェンにおいて、
軸受け部にピン挿入孔を設け、ピン挿入孔にピンを挿入することを特徴とするものである。
【００１４】
また、本発明は、
軸部とプレート部と軸受け部と空隙を有する単体のリンクをつなぎ合わせることによって一条のチェンが構成されるチェンにおいて、
軸受け部に折り曲げ部を設け、リンクを連結した後に折り曲げ部を折り曲げたことを特徴とするものである。
【発明の効果】
【００１５】
このような本発明によれば、
軸部とプレート部と軸受け部と空隙を有する単体のリンクをつなぎ合わせることによって一条のチェンが構成されるチェンにおいて、
軸受け部にピン挿入孔を設け、ピン挿入孔にピンを挿入することにより、
リンク同士が外れる可能性のより少ない、又は、外れる可能性がないチェンを提供することができる。
【００１６】
また、軸部とプレート部と軸受け部と空隙を有する単体のリンクをつなぎ合わせることによって一条のチェンが構成されるチェンにおいて、
軸受け部に折り曲げ部を設け、リンクを連結した後に折り曲げ部を折り曲げたことにより、
リンク同士が外れる可能性のより少ない、又は、外れる可能性がないチェンを提供することができる。
【図面の簡単な説明】
【００１７】
【図１】本発明の第一の実施の形態に係るチェンに使用するリンクの図である。
【図２】本発明の第一の実施の形態に係るチェンに使用するリンクを連結した状態を示す図である。
【図３】本発明の第二の実施の形態に係るチェンに使用するリンクの図である。
【図４】本発明の第二の実施の形態に係るチェンに使用するリンクの連結の仕方を説明するための図である。
【図５】本発明の第二の実施の形態に係るチェンに使用するリンクを連結した状態を示す図である。
【図６】従来のチェンに使用するリンクの図である。
【図７】従来のチェンに使用するリンクの連結の仕方を説明するための図である。
【図８】従来のチェンに使用するリンクを連結した状態を示す図である。
【図９】従来のチェンをスプロケットに噛ませた状態を示す図である。
【発明を実施するための最良の形態】
【００１８】
以下、本発明に係るチェンを実施するための最良の形態について、図面に基づいて説明する。従来と同様の構成についての重複する説明は、その一部を除き省略するものとする。
【００１９】
図１は、本発明の第一の実施の形態に係るチェンに使用するリンクの図であり、図２は、本発明の第一の実施の形態に係るチェンに使用するリンクを連結した状態を示す図である。
リンク同士の連結の仕方、チェンをスプロケットに噛ませた状態については、ほぼ従来例と同様であるので、図示を省略する。
【００２０】
本実施の形態においては、図１に示すように、リンク２の軸受け部８にピン挿入穴１０が設けられる。
【００２１】
リンク２同士は、従来例と同様の連結方法で連結される。本実施の形態に係るリンクは、軸受け部にピン挿入孔を設ける以外の外形形状は変わらないため、従来例と同様の方法でリンク同士の連結が可能である。そして、リンク２同士を連結した後、ピン挿入穴１０にピン１２が挿入される。
【００２２】
ピンには例えば、スプリングピンが用いられる。スプリングピンとは、板状の金属を丸めて作ったピンである。このようなスプリングピンは、孔に挿入すると、挿入後に元の形状に戻ろうとする性質があるため、孔から抜けなくなるものである。
【００２３】
図２は、リンク２同士を連結した状態を示す図である。
【００２４】
図２に示すように、ピン挿入孔１０にピン１２が挿入されていることにより、リンク２の屈曲が規制されるので、リンク２同士が外れることがなくなる。
【００２５】
以上より、本発明の第一の実施の形態に係るチェンにより、
リンク同士が外れる可能性がないチェンを提供することができる。
【００２６】
図３は、本発明の第二の実施の形態に係るチェンに使用するリンクの図であり、図４は、本発明の第二の実施の形態に係るチェンに使用するリンクの連結の仕方を説明するための図であり、図５は、第二の実施の形態に係るチェンに使用するリンクを連結した状態を示す図である。チェンをスプロケットに噛ませた状態については、ほぼ従来と同様であるので、図示を省略する。
【００２７】
本実施の形態においては、リンク２０の軸受け部２６の円筒状の円弧の端面の全部又は一部に、（端面の端点における接線の延長された線上の一部に）折り曲げ部２８が設けられる。この折り曲げ部２８は、図３・図４に示すように、リンク２０同士を連結する際に一方のリンク２０の軸部２２を他方のリンク２０の軸受け部２６にスライドさせるのに障害がない態様で設けられる。
【００２８】
リンク２０同士は従来例と同様に連結される。折り曲げ部２８は、前述のように、リンク２０同士を連結する際に、一方のリンク２０の軸部２２を他方のリンク２０の軸受け部２６にスライドさせるのに障害がない態様で設けられているので、従来例と同様の方法でリンク同士の連結が可能である。
【００２９】
そして、リンク２０同士を連結した後に、折り曲げ部２８を打撃する等により、折り曲げることにより、図５に示すように、一方のリンクの折り曲げ部が、他方のリンクの軸部を覆うように、連結されることとなる。
【００３０】
図５に示すように、一方のリンクの折り曲げ部が他方のリンクの軸部を覆う形になり、各リンク同士がスライドするのが規制されるので、リンク同士が外れる可能性のより少ない、又は、外れる可能性がないチェンを提供することができる。
【符号の説明】
【００３１】
２  リンク
４  軸部
６  プレート部
８  軸受け部
１０  ピン挿入孔
１２  ピン
１４  空隙
２０  リンク
２２  軸部
２４  プレート部
２６  軸受け部
２８  折り曲げ部
３０  空隙
５０  リンク
５２  軸部
５４  プレート部
５４ａ  表面
５４ｂ  裏面
５６  軸受け部
５８  空隙
８０  チェン
９０  スプロケット
【図１】
2014190439.tif 000003
【図２】
2014190439.tif 000004
【図３】
2014190439.tif 000005
【図４】
2014190439.tif 000006
【図５】
2014190439.tif 000007
【図６】
2014190439.tif 000008
【図７】
2014190439.tif 000009
【図８】
2014190439.tif 000010
【図９】
2014190439.tif 000011